(57)【要約】【課題】限られた表示画面上に十分な情報量を持つ操作ガイダンスを表示可能なプログラマブル表示器を得ること。【解決手段】部品に関する動作機能が定義された部品データが記憶されるとともに、部品に関する操作ガイダンスが記憶される記憶部と、部品データに設定されている動作機能に従い動作する通常動作モードと、部品に関する操作ガイダンスを表示するガイダンス表示モードと、を含む表示制御モードを有し、表示制御モードを切り換える制御手段１０を備える。【選択図】図２
2011054130.tif 000002
【特許請求の範囲】
【請求項１】
外部制御機器に関する各種状態を含む表示を行うための状態表示部品と、前記外部制御機器の制御および前記状態表示部品での表示変更を行うための入力操作を行う入力操作部品とを含む部品が、タッチパネルが積層された表示画面上に配置され、前記状態表示部品および入力操作部品を使用して外部制御機器に関するモニタリングおよび操作制御を行うプログラマブル表示器において、
前記部品に関する動作機能が定義された部品データが記憶されるとともに、前記部品に関する操作ガイダンスが記憶される記憶部と、
前記部品データに設定されている動作機能に従い動作する通常動作モードと、前記部品に関する前記操作ガイダンスを表示するガイダンス表示モードと、を含む表示制御モードを有し、前記表示制御モードを切り換える制御手段と、
を備えることを特徴とするプログラマブル表示器。
【請求項２】
前記制御手段は、前記表示画面に配置されたモード切換スイッチ部品に対する入力操作により制御モードの切り換えを実現することを特徴とする請求項１に記載のプログラマブル表示器。
【請求項３】
前記制御手段は、前記表示画面に表示された前記部品に対する所定の時間以上の継続した入力操作により通常モードからガイダンス表示モードへの切り換えを実現することを特徴とする請求項１に記載のプログラマブル表示器。
【請求項４】
前記制御手段は、前記外部制御機器から入力されるモード切換信号により制御モードの切り換えを実現することを特徴とする請求項１に記載のプログラマブル表示器。
【請求項５】
前記ガイダンス表示モードは、１つの前記部品に対する１回の入力操作に対してガイダンス表示を行うガイダンス１回表示モードと、制御モードが通常モードに切り換えられるまでは、１つあるいは複数種の前記部品に対する複数回の入力操作に対してガイダンス表示を行うガイダンス連続表示モードとを切り換え可能であることを特徴とする請求項１〜４のいずれか１項に記載のプログラマブル表示器。
【発明の詳細な説明】
【技術分野】
【０００１】
本発明は、プログラマブルロジックコントローラ（ＰＬＣ：Programmable Logic Controller）などの外部制御機器に関するモニタリングおよび操作制御を行うプログラマブル表示器に関する。
【背景技術】
【０００２】
従来のプログラマブル表示器では、表示画面上の表示面積の制限があるため、表示画面上に配置した部品には必要最低限の情報しか表示することができない。このため、部品の意味、操作手順などを操作者に伝えるためには、別途操作マニュアルを作成する必要があった。
【０００３】
一方、パーソナルコンピュータなどでは、マウスカーソルによる位置情報により、モニタ画面上の各部品のポップアップヘルプを表示する手段は一般的に知られている。このようなポップアップヘルプでは、マウスカーソルが画面上の部品の位置にあるときだけポップアップヘルプを表示するため、他の部品上にポップアップヘルプ表示を重ねて表示することができる。
【０００４】
プログラマブル表示器では、マウス入力の変わりに表示器の液晶パネルに積層されたタッチパネルを押下することで、ユーザ操作を実現しているため、パソコン上におけるクリックしていない時のマウスカーソルのように、位置情報だけを取得することができない。このため、プログラマブル表示器では、パソコンにおけるポップアップヘルプのような操作を実現することはできない。
【０００５】
特許文献１には、プロセス機器の運転操作を行うプロセス監視制御装置において、プロセス機器のプロセスフロー画面をＣＲＴ表示装置に表示し、ＥＬディスプレイとタッチスクリーンで構成された操作パネルに、プロセス機器を選択するための機器スイッチと、機器スイッチに対応するプロセス機器を運転するためのマスター操作スイッチなどを配置し、機器スイッチを押すことで、機器スイッチに対応する操作ガイダンスを表示し、この操作ガイダンスを確認した後、マスター操作スイッチを押すことで、プロセス機器の運転制御を行うことが示されている。
【先行技術文献】
【特許文献】
【０００６】
【特許文献１】特開昭６３−２４５５０３号公報
【発明の概要】
【発明が解決しようとする課題】
【０００７】
しかしながら、上記特許文献１に示された技術では、通常運転モードの際に、プロセス機器に対応する操作ガイダンスを表示するようにしているので、この操作ガイダンスは、機器スイッチやマスター操作スイッチ上に重ねて表示することができず、必要最低限の情報しか表示することができない。このように、特許文献１では、限られた表示画面上における機器スイッチやマスター操作スイッチが配置されていない空き画面上にしか操作ガイダンスを表示することができず、十分な情報量を持つ操作ガイダンスを表示することが困難である。
【０００８】
本発明は、上記に鑑みてなされたものであって、限られた表示画面上に十分な情報量を持つ操作ガイダンスを表示可能なプログラマブル表示器を得ることを目的とする。
【課題を解決するための手段】
【０００９】
上述した課題を解決し、目的を達成するために、本発明は、外部制御機器に関する各種状態を含む表示を行うための状態表示部品と、前記外部制御機器の制御および前記状態表示部品での表示変更を行うための入力操作を行う入力操作部品とを含む部品が、タッチパネルが積層された表示画面上に配置され、前記状態表示部品および入力操作部品を使用して外部制御機器に関するモニタリングおよび操作制御を行うプログラマブル表示器において、前記部品に関する動作機能が定義された部品データが記憶されるとともに、前記部品に関する操作ガイダンスが記憶される記憶部と、前記部品データに設定されている動作機能に従い動作する通常動作モードと、前記部品に関する前記操作ガイダンスを表示するガイダンス表示モードと、を含む表示制御モードを有し、前記表示制御モードを切り換える制御手段とを備えることを特徴とする。
【発明の効果】
【００１０】
この発明によれば、あらかじめ設定されている動作機能に従い動作する通常動作モードと、入力操作された入力操作部品に関する操作ガイダンスを表示するガイダンス表示モードとを切り換え可能としたので、ガイダンス表示モードの際には、操作ガイダンスを他の部品上に重ねて表示することができ、タッチパネル操作による限られた操作表示画面上に、十分な情報量を持つ操作ガイダンスを表示することが可能になる。
【図面の簡単な説明】
【００１１】
【図１】図１は、本実施の形態にかかるプログラマブル表示器の一構成例を示す図である。
【図２】図２は、表示パネル４に表示される表示画面の一例を示すものである。
【図３】図３は、記憶部に格納される部品データテーブルおよびガイダンス定義テーブルの一例を示す図である。
【図４】図４は、アプリケーションソフトウェア上での表示画面の一例を示す図である。
【図５】図５は、通常モードにおける表示画面の一例を示す図である。
【図６】図６は、ガイダンス表示モードにおける表示画面の一例を示す図である。
【図７】図７は、ガイダンス表示モードの処理手順を説明するフロー図である。
【発明を実施するための形態】
【００１２】
以下に、本発明にかかるプログラマブル表示器の実施の形態を図面に基づいて詳細に説明する。なお、この実施の形態によりこの発明が限定されるものではない。
【００１３】
実施の形態． 
まず、本実施の形態にかかるプログラマブル表示器の構成および概略機能について説明する。図１は、本実施の形態にかかるプログラマブル表示器の一構成例を示す図である。図１に示すように、プログラマブル表示器１は、例えばプログラマブルロジックコントローラ（ＰＬＣ：Programmable Logic Controller）などの外部制御機器２に接続され、外部制御機器に関するモニタリングおよび操作制御を行う。プログラマブル表示器１は、制御部１０、表示制御部３、表示パネル４、タッチパネル５、記憶部７を備えている。プログラマブル表示器１は、例えば不揮発性メモリなどの外部記憶媒体８を搭載することもできる。
【００１４】
表示パネル４には、外部制御機器２に関する各種状態を含む表示を行うための状態表示部品と、外部制御機器２の制御および状態表示部品での表示変更を行うための入力操作を行う入力操作部品が配置される。表示パネル４の前面には、タッチパネル５が具備され、入力操作された箇所の位置情報を取得する。
【００１５】
図２は、表示パネル４に表示される表示画面の一例を示すものである。表示画面には、外部制御機器２に関する各種状態を含む表示を行うための状態表示部品１１と、外部制御機器２の制御および状態表示部品での表示変更を行うための入力操作を行う入力操作部品１２ａ，１２ｂ、１３ａ，１３ｂが配置される。この場合、状態表示部品１１には、外部制御機器２の状態を示すデータやグラフ等を表示されている。また、表示画面には、表示モードを切り換えるためのモード切換スイッチ部品１４が配置されている。
【００１６】
この場合、状態表示部品１１には、外部接続機器２での現在の生産状況を示すグラフが表示されている。また、この場合、入力操作部品１２ａは、状態表示部品１１でのグラフ表示の切り替えスイッチとして機能し、入力操作部品１２ｂは、メニュー画面の切替スイッチとして機能し、入力操作部品１３ａは、状態表示部品１１上で所定時間前の生産状況を表示するためのスイッチとして機能し、入力操作部品１３ｂは、状態表示部品１１上で所定時間後の生産状況を表示するためのスイッチとして機能する。モード切替スイッチ１４は、この場合、３状態切り換えのトグルスイッチであり、通常モード、ガイダンス１回表示モード、ガイダンス連続表示モード間を切り換える。
【００１７】
記憶部７には、図３に示すように、表示パネルに配置される状態表示部品１１、入力操作部品１２ａ，１２ｂ、１３ａ，１３ｂ、モード切換スイッチ部品１４等を含む各種部品に関する動作機能が定義された部品データを記憶する部品データテーブル２２と、表示パネルに配置される状態表示部品１１、入力操作部品１２ａ，１２ｂ、１３ａ，１３ｂ、モード切換スイッチ部品１４等を含む各種部品に関する操作ガイダンスが定義されたガイダンス定義テーブル２４とが格納されている。なお、プログラマブル表示器１に外部記憶媒体８を搭載する場合には、外部記憶媒体８にガイダンス定義テーブルを格納することもできる。
【００１８】
部品データテーブル２２に登録される各部品データ２３には、各部品の部品番号、部品種別、座標データ、および部品詳細データが登録されており、各部品の部品番号によって、各部品の座標データとガイダンス定義テーブル２４に登録されたガイダンスメッセージとが関連付けられている。
【００１９】
ガイダンス定義テーブル２４には、各部品番号毎に、部品番号に対応する操作ガイダンスが登録されている。
【００２０】
外部記憶媒体８にガイダンス定義テーブル２４が格納される場合は、記憶部７に格納されたガイダンス定義テーブル２４の代わりに、外部記憶媒体８に格納されたガイダンス定義テーブルを参照することも可能であり、この場合には、外部記憶媒体８を交換することにより、容易にガイダンス定義テーブルを変更することが可能となる。
【００２１】
制御部１０は、外部制御機器２から各種状態情報（デバイスデータなど）を受信し、操作パネル４（タッチパネル５）から表示制御部３を介して受信した各種動作指令を外部制御装置２に送信するなどの制御を実行する。表示制御部３は、タッチパネル５に対する入力操作を制御部１０に伝えるとともに、選択されたモード（通常モードに含まれる各種モード、通常モードに含まれる各種モードから移行されるガイダンス表示モード）に対応する制御部１０からの指令にしたがって記憶部７に記憶された部品データを表示パネル４に表示するなどの制御を実行する。
【００２２】
図２に示したような表示画面は、アプリケーションソフトウェアを用いて作成される。図４は、アプリケーションソフトウェアを用いて表示されるアプリケーション画面の一例を示すものである。アプリケーション画面では、各部品に、部品番号が付属表示されている。このアプリケーションソフトウェアを用いて、アプリケーション画面に表示された各種部品に関する部品詳細データを含む部品データテーブル２２およびガイダンス定義テーブル２４が作成される。
【００２３】
つぎに、プログラマブル表示器１における制御モードについて説明する。プログラマブル表示器１の制御部１０は、制御モードとして、タッチパネル５への入力操作に応答して、通常の操作を受け付ける通常動作モードと、ガイダンス対象部品毎に定義されたガイダンスメッセージを表示するガイダンス表示モードとを有し、通常動作モードとガイダンス表示モードとを切り換える制御モード切換機能を備えている。
【００２４】
通常モードの際には、図２に示した画面表示がなされている状態において、入力操作部品１２ａがタッチされた場合は、図５に示すように、状態表示部品４の表示が、グラフ表示からヒストグラム表示に切り替わる。一方、ガイダンス表示モードの際には、図２に示した画面表示がなされている状態において、入力操作部品１２ａがタッチされた場合は、図６に示すように、入力操作部品１２ａの近傍に、入力操作部品１２ａに対応する、すなわち入力操作部品１２ａの部品番号に関連づけられたガイダンスメッセージが記憶部７のガイダンス定義テーブル２４から読み出されて表示される。この場合、ガイダンスメッセージは他の部品１１に重ね表示されている。
【００２５】
つぎに、制御モード切換機能について説明する。制御モードの切り換え方法には、以下の３つの方法がある。
（１）操作切り換え：画面上に表示されたモード切換スイッチ１４に対する入力操作による切り換え方法。
（２）信号切り換え：外部制御機器２からのモード切換信号（外部制御機器２のデバイスをオン又はオフするなどして外部の接続機器からの信号を得る）による切り換え方法。
（３）部品長押し切り換え：画面上に表示された各部品に対する所定の時間以上継続した入力操作による切り換え方法。
【００２６】
操作切り換えでは、ガイダンス表示モードにおいて、１つの部品に対する１回の入力操作に対してガイダンス表示を行うガイダンス１回表示モードと、制御モードが通常モードに切り換えられるまでは、１つあるいは複数種の部品に対する複数回の入力操作に対してガイダンス表示を行うガイダンス連続モードとが選択可能である。信号切り換えと部品長押し切り換えでは、ガイダンス表示モードは、ガイダンス１回表示モードとガイダンス連続モードとの何れかが選択される。この実施の形態では、ガイダンス１回表示モードが選択されるとする。
【００２７】
ガイダンス１回モードでは、ガイダンス表示を行った後に、タッチパネル５の任意の箇所に触れることで通常動作モードに切り換えることができる。なお、ガイダンス連続モードでは、操作者の熟練度等に応じて、さらにガイダンス表示を行う回数を設定したり、ガイダンス表示を行う時間を設定したりすることも可能である。この場合は、設定した回数あるいは時間を超過することにより、通常動作モードに切り換わる。
【００２８】
一方、部品長押し切り換えでは、制御モードが通常動作モードである場合に、画面上に表示された各部品に対する所定の時間以上継続した入力操作によりガイダンス表示モードへ切り換えることができる。この場合には、ガイダンス１回表示モードの場合と同様に、タッチパネル５の任意の箇所に触れることで通常動作モードに切り換えることができる。
【００２９】
つぎに、ガイダンス表示モードの処理手順について図７を用いて説明する。
【００３０】
まず、制御部１０は、モード切替スイッチ１４の投入状態、外部制御機器２からのモード切換信号の入力状態、部品に対する長押しの有無などにより、現在の状態がガイダンスモードか通常モードであるかを判定する（ステップＳ１００）。
【００３１】
現在の状態が通常モードであると判定した場合、制御部１０は、表示パネル４上に表示された部品の長押しの有無を判定し（ステップＳ１１０）、部品の長押しがない場合は、タッチされた部品に応じて、記憶部７に記憶された該当する部品データに基づいて、図５に示したような、通常モードでの動作を実行する（ステップＳ１２０）。通常モード中に、表示パネル４上に表示された部品の長押しがあった場合は（ステップＳ１３０）、ガイダンス表示モードに移行され、長押しされた部品に対応する操作ガイダンスを記憶部７のガイダンス定義テーブル２４から読み出し、読み出した操作ガイダンスを、図６に示したように、長押しされた部品の近傍に表示する。このガイダンス表示は、表示パネル４上の任意の箇所がタッチされた場合に消去され、これ以降制御モードは通常モードに復帰される（ステップＳ１４０）。
【００３２】
一方、現在の状態がガイダンスモードであると判定した場合（ステップＳ１００）、制御部１０は、このガイダンスモードがガイダンス１回表示モードであるかガイダンス連続モードであるかを判定する（ステップＳ１５０）。ガイダンスモードがガイダンス１回表示モードである場合は、表示パネル４上に表示された１つの部品に対するタッチがあった場合、タッチされた部品に対応する操作ガイダンスを記憶部７のガイダンス定義テーブル２４から読み出し、読み出した操作ガイダンスを、図６に示したように、タッチされた部品の近傍に表示する（ステップＳ１６０）。この１回表示モードでのガイダンス表示は、表示パネル４上の任意の箇所がタッチされた場合に消去され、これ以降制御モードは通常モードに復帰される（ステップＳ１７０）。
【００３３】
ステップＳ１５０の判定で、ガイダンスモードがガイダンス連続表示モードであると判定した場合は、制御部１０は、表示パネル４上に表示された１つの部品に対するタッチがあった場合、タッチされた部品に対応する操作ガイダンスを記憶部７のガイダンス定義テーブル２４から読み出し、読み出した操作ガイダンスを、図６に示したように、タッチされた部品の近傍に表示する（ステップＳ１８０）。この後、他の部品に対するタッチがあった場合、タッチされた他の部品に対応する操作ガイダンスが同様に表示される。この連続表示モードは、モード切替スイッチ１４によって、制御モードが、通常モードあるいは１回表示モードに変更されるまで続行される。
【００３４】
以上のように、実施の形態のプログラマブル表示器によれば、画面上に表示された部品に関するガイダンスメッセージを表示するガイダンス表示モードを有し、通常の操作を受け付ける通常動作モードとガイダンス表示モードとを切り換えるようにしているので、ガイダンス表示モードの際には、操作ガイダンスを他の部品上に重ねて表示することができ、タッチパネル操作による限られた操作表示画面上に、十分な情報量を持つ操作ガイダンスを表示することが可能になる。したがって、別途操作マニュアルを作成することなく、画面上に表示された部品の意味、あるいは操作手順等を操作者に詳細に伝えることが可能となる。
【００３５】
また、外部制御機器からのモード切換信号によって、通常動作モードからガイダンス表示モードへの切り換えを行うようにしたので、例えば新規の外部制御機器が接続された場合など、外部制御機器が操作者に対するガイダンス表示を必要とするタイミングでガイダンス表示モードに切り換えることが可能となる。
【００３６】
また、ガイダンス表示モードでは、１つの部品に対する１回の入力操作に対してガイダンス表示を行うガイダンス１回モードと、１つあるいは複数種の部品に対する複数回の入力操作に対してガイダンス表示を行うガイダンス連続モードとを選択可能としたので、操作者の要求に応じてガイダンス表示を行う方法を選択でき、利便性の高いガイダンス表示を行うことが可能となる。
【００３７】
さらに、ガイダンス連続モードでは、操作者の熟練度等に応じて、ガイダンス表示を行う回数や時間を設定可能としたので、より利便性の高いガイダンス表示を行うことが可能となる。
【００３８】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００３９】
以上のように、本発明にかかるプログラマブル表示器は、画面上に表示された部品に関するガイダンスメッセージを表示することができる発明として有用である。
【符号の説明】
【００４０】
１        プログラマブル表示器
２        外部制御機器
３        表示制御部
５        タッチパネル
７        記憶部
８        外部記憶媒体
１０      制御部
１１      状態表示部品
１２ａ    入力操作部品
１２ｂ    入力操作部品
１３ａ    入力操作部品
１３ｂ    入力操作部品
１４      モード切換スイッチ
２２      部品データテーブル
２３      部品データ
２４      ガイダンス定義テーブル
【図１】
2011054130.tif 000003
【図２】
2011054130.tif 000004
【図３】
2011054130.tif 000005
【図４】
2011054130.tif 000006
【図５】
2011054130.tif 000007
【図６】
2011054130.tif 000008
【図７】
2011054130.tif 000009